(57)【要約】【課題】イベント等の関連情報が印刷されている印刷物の各種印刷情報に関連づけて、画像、動画、音声データ等の所望の記録データを、その場で電子データとして記録する印刷物連携記録システム及び連携記録印刷物を提供する。【解決手段】イベントに関する印刷物に印刷されている印刷情報の近傍に、異なる識別情報を記録する１以上の２次元コードを印刷した連携記録印刷物と、カメラ、音声入力部などの入出力部、２次元コード読取部、データ記憶部、制御部を有するモバイル端末装置戸を備え、連携記録印刷物の２次元コードを読み取ることにより、取得したイベントに関する画像、動画、音声データ等の電子データ（記録データ）を、読み取った２次元コードの識別情報に紐付して、モバイル装置内、または無線通信を介して、通信網に接続されている記録サーバ内に記憶する。【選択図】  図２
2019061564.tif 000002
【特許請求の範囲】
【請求項１】
文字情報、記号、符号、イラスト、画像情報及び/又は地図情報を含む印刷情報に関連づけて、識別情報を２次元コードとして印刷した連携記録印刷物と、
少なくとも中央演算処理装置と、記憶部と、撮像部、音声入出力部、データ入力部、画像表示部を含むデータ入出力部と、前記記憶部に記憶されており前記各部を制御して文字データ及びイメージデータを含む各種データの入出力、データ処理を行う制御プログラムと、を備えるモバイル端末装置とを備え、
前記モバイル端末装置は、前記制御プログラムの制御に基づいて、前記連携記録印刷物の前記２次元コードを読取り、該２次元コードに記録されている前記識別情報に紐付して、希望する音声データ、静止画、動画、文字情報等のデータを前記記憶部に記録データとして記憶し、要求に応じて前記記録データを前記記憶部から読み出して前記データ入出力部から出力することを特徴とする印刷物連携記録システム。
【請求項２】
文字情報、記号、符号、イラスト、画像情報及び/又は地図情報を含む印刷情報に関連付けて識別情報を２次元コードとして印刷した連携記録印刷物と、
少なくとも中央演算処理装置と、記憶部と、撮像部、音声入出力部、データ入力部、画像表示部を含むデータ入出力部と、無線通信部と、前記記憶部に記憶されており前記各部を制御して文字データ及びイメージデータを含む各種データの入出力、データ処理、無線通信処理を行う制御プログラムと、を備えるモバイル端末装置と、
通信網に接続されており、前記モバイル端末からのアクセス要求を受け付け、各種データを記憶し、要求に応じて記憶しているデータを送信する記録サーバと、
を備え、
前記モバイル端末装置は、前記制御プログラムの制御に基づいて、前記連携記録印刷物の前記２次元コードを読取り、前記記録サーバにアクセスして、前記モバイル端末が前記データ入出力部により取得した静止画、動画、音声データを含む各種データまたはこれから取得する該各種記録データを、読み取った前記２次元コードに記録されている前記識別情報に紐付して、前記記録サーバに記録データとして記憶させ、または前記記録サーバから前記識別情報に対応する前記記録データを読み出して送信するように、前記記録サーバに要求することを特徴とする印刷物連携記録システム。
【請求項３】
文字情報、記号、イラスト、画像情報及び/又は地図情報を含む印刷情報が印刷された印刷媒体の所定の位置に、前記印刷情報と関連づけて、希望する所定の画像情報、音声情報、文字情報を紐付して記録するためのそれぞれ異なる識別情報が記録された一以上の２次元コードを印刷した、請求項１または２に記載の印刷物連携記録システムに使用する連携記録印刷物。
【請求項４】
前記２次元コードは、微小ドットの配置により情報を記録する視認性の低い２次元コードからなることを特徴とする請求３に記載の連携記録印刷物。
【請求項５】
前記２次元コードは、黄色のインキで印刷されていることを特徴とする請求項４に記載の連携記録印刷物。
【請求項６】
前記連携記録印刷物は、ガイドブック、観光地図、案内地図、動物園・植物園・水族館・アミューズメントパーク等の園内地図、イベント会場地図、学習用教科書、学習用参考書、行事予定を印刷したプログラム、カレンダー、予定表、実験記録帳、打合せ記録帳であることを特徴とする請求項３から５のいずれか１項に記載の連携記録印刷物
【請求項７】
表面と裏面に同じ図形、文字、記号情報が印刷されており、
前記表面または裏面のいずれか一方の面に、それぞれ異なる識別情報が印刷された複数の第１の２次元コードと、
前記第１の２次元コードが印刷された面とは反対の面の、前記第１の２次元コードの印刷位置と同じ位置に、前記第１の２次元コードとは異なる固有の識別情報が印刷された複数の第２の２次元コードが印刷されており、
少なくとも第１の２次元コードまたは前記第２の２次元コードのいずれか１方が、所定の画像情報、音声情報、文字情報を紐付して記録するための識別情報が記録されていることを特徴とする請求項３から６のいずれか１項に記載の連携記録印刷物。
【請求項８】
前記第２の２次元コードは、所定の画像情報、音声情報、文字情報を紐付して記憶するための識別情報を記録した２次元コードであり、前記第１の２次元コードは該２次元コードに記録されている固有の識別情報に紐付されて、予め記憶されている所定の提供情報を情報提供サーバから読み出すための識別情報が記録された２次元コードであることを特徴とする請求項７に記載の連携記録印刷物。
【請求項９】
表面と裏面に同じ地図が印刷された案内地図であることを特徴とする請求項７又は８に記載の連携記録印刷物。
【請求項１０】
請求項８に記載の連携記録印刷物を備える請求項２に記載の印刷物連携記録システムにおいて、
前記モバイル端末は、前記第１の２次元コードの識別情報を読み取ったときに、前記情報提供サーバに該識別情報に対応する所定の関連情報の送信を要求するとともに、前記情報提供サーバから前記関連情報を受信したときに該関連情報を前記入出力部から出力し、
前記情報提供サーバは、前記モバイル端末から前記第１の２次元コードに記録されている識別情報を受信したときに、該識別情報に対応して予め記録している前記関連情報を読み出して、前記モバイル端末に送信し、
前記モバイル端末は、前記第２の２次元コードの識別情報を読み取ったときに、該識別情報に紐付けして、指定された前記記録データを該モバイル端末の記憶部に記憶し、または前記記録サーバにアクセスして指定された前記記録データを該識別情報に紐付けして記憶する制御することを特徴とする印刷物連携記録システム。
【発明の詳細な説明】
【技術分野】
【０００１】
本発明は、各種印刷物の印刷情報を補完し、又は印刷情報に関連する音声データ、静止画、動画、文字情報等の各種記録を、その印刷物に関連づけて記録することのできる印刷物連携記録システム及び連携記録印刷物に関する。本発明において印刷物とは、各種地図、ガイドブック又はパンフレット（都市や観光地の観光地図、動物園又はアミューズメントパーク等の園内地図、観光ガイド、等の各種案内資料を含む、以下「ガイド印刷物等」と称する）や、講義録、教科書、ノート、実験記録、日記、アルバム、その他の各種イベントに関連する印刷物を含む。また、この明細書において、“イベント”とは、現実に起こるすべての出来事、例えば、個人の日常生活の行動、特別行動（旅行、講演・授業・セミナーなどの聴講、各種実験、制作活動、ビジネス活動その他）を含む。
【背景技術】
【０００２】
通常、外国から観光に訪れた多くの観光客は東京、京都等の観光地図や地下鉄地図等を利用して、観光スポット情報を取得する有効な手段として活用している。また、動物園や水族館、大型のアミューズメントパークやテーマパーク等においては、動物等の展示物、各種店舗、遊戯施設、催し物、出展者や駐車場や地図等の場所をわかり易く示す地図やガイドブック等のガイド印刷物が、無料または有料で頒布されており、来訪者はこれらの印刷物に記載されている各種詳細情報に基づいて、各種施設を効率的に利用している。しかし、これらのガイド印刷物に印刷して提供できる情報量は紙面の面積に依存しており、印刷できる情報には限界がある。また、印刷情報だけでは真実の情報を伝えることが難しい場合もある。
【０００３】
印刷情報を補完する技術として、地図上にバーコードを印刷しておき、そのバーコード情報を読み取ることによりサーバにアクセスして、サーバから補足情報を受け取るという技術が存在する（特許文献１）。また、園内地図にカラーコードを印刷して、スマートフォン等のカメラでカラーコードを読取り、サーバにアクセスしてサーバから関連情報を取得するという技術も開示されている（特許文献２）。
【０００４】
さらに、サーバ上に各自のアルバムを作成する技術もある（特許文献３）。この技術は、サーバ上に地図情報を記憶しておき、利用者がサーバにアクセスして希望する地図情報を取得し、その地図情報の所定の位置を指定して自分で撮影した写真情報や動画情報等（の記録データ）をサーバに送信する。これに基づき、サーバは指定した位置情報（座標データ）に関連づけて、送られてきた記録データをサーバ上に記憶させるものである。
【先行技術文献】
【特許文献】
【０００５】
【特許文献１】特開２００４−５４４６５号公報
【特許文献２】特開２０１６−２４４１０号公報
【特許文献３】特開２０１０−１２８６７８号公報
【発明の概要】
【発明が解決しようとする課題】
【０００６】
上記した特許文献１は、バーコードを読み取ることにより、サーバから補足情報を取得することができる。しかし、バーコードリーダーは一般的に普及していないため、読取手段としてバーコードリーダー等の特殊機器を用いることは汎用性に欠ける。また、この特許文献１の技術は地図上に印刷されたバーコードコードに基づいて、サーバに記憶されているデータの提供を受けるものであり、これとは逆に、印刷されたバーコードに基づいて、利用者の希望する記録データをサーバに記録するということは開示されていない。
【０００７】
特許文献２の技術は、スマートフォン等のカメラ機能により、カラーコードを読み取るものであるが、カラーコードは読取り時間がかかる上に、視覚上も目立つため印刷物上に複数のカラーコードを印刷すると印刷物の外観や美観を損ねる。また、特許文献２も特許文献１の技術同様に、印刷されたカラーコードに基づいて希望する記録データをサーバに記録するということは開示されていない。
【０００８】
特許文献３は、サーバ内に記録されている地図情報及びその地図情報の識別番号を取得した上で、その地図上に位置（座標情報）を指定して、その座標位置に自分の希望する所定の画像情報（記録データ）をサーバ内に記録するものである。すなわち、サーバへ希望する画像情報を記録するシステムについて開示している。利用者は、サーバから取得した地図情報に基づいて所望の位置（座標位置）を指定して、その座標位置に対応させて希望する画像情報をサーバ内に記録させる。この特許文献３の技術は、現実の印刷された地図ではなく、サーバに記録されている地図情報を用いて位置情報を指定するものである。そのため、まず（１）地図情報取り込み、（２）その後にその地図を用いて位置（座標情報）を選択して指定して、（３）希望する画像情報をその位置情報関連づけてサーバに記憶させるという３ステップの操作処理が必要となる。
【０００９】
具体的な例として特許文献３には、コンビニや案内書に貼られているポスター等に印刷されているコード情報から、利用者がサーバ内の地図データにアクセスして地図情報を取得する例が説明されている。しかしサーバにアクセスできても、サーバにアクセスした後サーバ内に記憶されている希望する地図情報を選択して印刷することや、コンピュータに記憶された仮想空間内の地図情報の中から希望する座標位置を選択するという操作、及び希望するデータ画像情報を座標位置に関連づけてサーバに記憶させる操作等は、仮想空間の処理に慣れていない者にとっては複雑でなじみにくいものである。また、利用者の個人情報の登録やパスワードの設定等の複雑な操作も要求される。このような複雑な操作は、仮想空間のイメージ認識が希薄な老人や子供にとっては、容易にできるものではなく敬遠されやすい。
【００１０】
さらに特許文献３のシステムでは、利用者の希望する紐付け情報（地図情報・座標情報等）を予め想定して、それをすべてサーバ内に用意しておく必要があり、サーバのシステム構成が複雑になる。
【００１１】
また、特許文献３のシステムでは、すべての利用者の記録した画像情報がサーバの仮想空間上にしか存在せず、“実在する物”と関連づけられていない。画像等の記録データは、記録した直後は鮮明な記憶として残るが、“実在する物”と関連づけられておらず現実に認識できないサーバ内の記録は、時間がたてば忘れ去られ、整理されずに放置されやすい。
【００１２】
この発明は、このような問題に鑑みてなされたものであり、“実在する物”である印刷物に関連づけて、希望する静止画、動画、文書、音声データ等のデータ（「記録データ」と称する）を電子的に記録することができ、またその実在する印刷物を媒介として対応する記録データを読み出して出力することのできる印刷物連携記録システム及びこれに使用する連携記録印刷物を提供することを目的とする。
【課題を解決するための手段】
【００１３】
上記の目的を達成するために、本発明の一実施形態に係る印刷物連携記録システムは、
文字情報、記号、符号、イラスト、画像情報及び/又は地図情報を含む印刷情報に関連づけて、識別情報を２次元コードとして印刷した連携記録印刷物と、
少なくとも中央演算処理装置と、記憶部と、撮像部、音声入出力部、データ入力部、画像表示部を含むデータ入出力部と、前記記憶部に記憶されており前記各部を制御して文字データ及びイメージデータを含む各種データの入出力、データ処理を行う制御プログラムと、を備えるモバイル端末装置とを備え、
前記モバイル端末装置は、前記制御プログラムの制御に基づいて、前記連携記録印刷物の前記２次元コードを読取り、該２次元コードに記録されている前記識別情報に紐付して、希望する音声データ、静止画、動画、文字情報等のデータを前記記憶部に記録データとして記憶し、要求に応じて前記記録データを前記記憶部から読み出して前記データ入出力部から出力することを特徴とする。
【００１４】
上記システムにおいて、印刷情報に関連づけて２次元コードを印刷するとは、印刷情報の印刷位置の近くに２次元コードを印刷することをいい、１ページ全体または見開きページに亘る印刷情報に関連づける場合には、ページ先頭の空白や、ページ下段の空白等２次元コードを印刷することをいう。ここで、印刷情報とは、文字や符号等に限定されず、枠、下線のみの印刷または符号や記号だけの印刷も含んでいる。
また、モバイル端末装置としては、スマートフォン、ノートパッド、その他の可搬型の汎用のモバイル端末装置を含む。この実施形態においては、モバイル端末装置は、無線通信機能を有することが望ましいが無線通信機能は必ずしも必須の要件ではない。一方、２次元コードの読取機能を有していれば、例えば、デジタルカメラ、デジタルビデオカメラ、または録音装置（ＩＣレコーダ等）等の、無線通信機能を有しないモバイル端末装置であっても良い。この意味で、本願発明のモバイル端末装置とは、持ち運び可能なデータ処理機能、２次元コード読取機能、電子データ取得機能等を備える可搬型のデータ処理装置ということができる。
【００１５】
本発明の印刷物連携記録システムによれば、撮像部として汎用のモバイル端末のカメラ等を使用することができるデータ入出力部により、連携記録印刷物の所定の位置に印刷された２次元コードを撮影し、制御プログラムによりその２次元コードに記録されている固有の識別情報を読み出すことにより、その識別情報に紐付けして所望の記録データをモバイル端末の記憶部に記憶することができる。例えば動物園において、連携記録印刷物として、各動物の檻の位置に対応してそれぞれ固有の識別情報を記録した２次元コードを印刷した園内マップを用意して来園者に配布することにより、来園者は以下のような利用が可能となる。
【００１６】
来園者が、スマートフォン等により、動物の写真や自分の写真等を撮影することは通常誰でも行う普通の行為である。利用者がライオンの檻の前でスマートフォンにより写真を撮影すると、この写真はスマートフォンの記憶部に記憶される。その写真を紐付け記録する場合、本発明に係る所定の制御プログラムを読み出して、操作メニューから「紐付け記録」及び撮影した写真（記録データ）を指定する。その後、園内マップ（連携記録印刷物）のライオンの檻の位置に印刷されている２次元コードにスマートフォンのカメラを向ける（又は撮影する）と、２次元コードから識別情報が読み出されて、その写真がその識別情報と紐付けされて記憶される。
【００１７】
記録データを確認したい場合には、本発明に係る制御プログラムを読み出して、操作メニューから読み出しを選択する。その状態で、園内マップのライオンの檻の位置の２次元コードにカメラを向ける（もしくは撮影する）と、その２次元コード（識別情報）に紐付けされている記録データが読みだされる。これにより、連携記録印刷物に印刷されたそれぞれの２次元コードに紐付けして、それぞれ異なる記録データを記憶することができ、希望の２次元コードを読み取ることにより、その２次元コードに対応する記録データを読み出して出力することができる。
【００１８】
本発明の他の実施形態に係る印刷物連携記録システムは、モバイル端末装置が無線通信部を備えており、該無線通信部を介してインターネットまたはその他の通信網に接続された記録サーバにアクセス可能であり、通信網に接続されたサーバに記録データを記録する。
モバイル端末装置は無線通信回線を介して、２次元コードから読み出した識別情報に基づいて記録サーバにアクセス可能であり、記録サーバはモバイル端末から受信した記録データを前記モバイル端末装置から受信した前記識別情報に紐付けして記憶することを特徴とする。
これにより、連携記録印刷物に印刷されたそれぞれの２次元コードに紐付けして、大量の記録データを記録サーバに記憶することができ、連携記録印刷物のいずれかの２次元コードを読み取ることにより、その２次元コードに対応する記録データを記録サーバから読み出して、モバイル端末装置により出力することができる。
【００１９】
上記印刷物連携記録システムに使用する連携記録印刷物としては、文字情報、記号、イラスト、画像情報及び/又は地図情報を含む印刷情報が印刷された印刷媒体の所定の位置に、前記印刷情報と関連づけて、希望する所定の画像情報、音声情報、文字情報を紐付して記録するためのそれぞれ異なる識別情報が記録された一以上の２次元コードを印刷し印刷物を使用することができる。特にこの印刷物に印刷される２次元コードは、複数の微小ドットの配置により情報を記録して視認性を低くすることが好ましい。
【００２０】
この連携記録印刷物を使用することにより、印刷情報に関連づけて希望する記録情報を電子データとして記録することができる。例えば、大学での講義、セミナーを、講義録の該当箇所に関連づけて録音することや、ガイドブックや地図上の位置に対応づけて、写真や動画等を記録することもできる。すなわち、現実の実活動で使用される印刷媒体が、そのまま電子データを整理して記憶する目次の機能を有するファイルと同様の機能を有するため、当該印刷物をファイルに閉じ、または整理して保管することにより、多数の画像データ、音声データがイベント単位で視覚的に整理して保管されるので、各種イベントの電子記録情報を視覚に基づいて、任意かつランダムにアクセスすることが可能となる。
【００２１】
さらに、視認性の低い二次元コードを用いることにより、印刷物の美観を損なくことなく、２次元コードを印刷することができるので、２次元コードの印刷位置の自由度が高まる。例えば２次元コードを黄色のインキで印刷することにより、白い紙等に印刷した印刷物では２次元コードが視認し難くなる。例えば、本システムのモバイル端末装置として、スマートフォンのように解像度のあまり高くない汎用のモバイル端末を用いる場合、２次元コードを構成する微小ドットの大きさをあまり小さくすることができない。このような場合に、微小ドットを黄色のインキで印刷することにより、２次元コードの視認性を低く抑えることができる。
【００２２】
前記連携記録印刷物としては、例えばガイドブック、観光地図、案内地図、動物園・植物園・水族館・アミューズメントパーク等の園内地図、イベント会場地図、学習用教科書、学習用参考書、行事予定を印刷したプログラム、カレンダー、予定表、実験記録帳、打合せ記録帳、ノート等に適用することができる。
【００２３】
また、前記連携記録印刷物として、表面と裏面に同じ図形、文字、記号情報が印刷されており、
前記表面または裏面のいずれか一方の面に、それぞれ異なる識別情報が印刷された複数の第１の２次元コードと、
前記第１の２次元コードが印刷された面とは反対の面の、前記第１の２次元コードの印刷位置と同じ位置に、前記第１の２次元コードとは異なる固有の識別情報が印刷された複数の第２の２次元コードが印刷されており、
少なくとも第１の２次元コードまたは前記第２の２次元コードのいずれか１方が、所定の画像情報、音声情報、文字情報を紐付して記録するための識別情報を記録することもできる。
【００２４】
このように連携記録印刷物の表裏に同じ情報を印刷し、表裏の同じ位置に異なる識別番号の第１２次元コード及び第２の２次元コードを印刷することにより、同じ印刷情報に対応して異なる記録データを異なる紐付情報として記録することができる。また、表裏のいずれか一方の２次元コード（例えば第１の２次元コード）を、情報提供サーバ等に予め記録されている補足説明情報を読み出すための２次元コードとして利用し、他方（例えば、第２の２次元コード）を、記録データを紐付して記録する識別情報として使用することができる。
【００２５】
具体的な構成例としては、予め連携記録印刷物の印刷情報を補足する説明その他印刷情報に関連する各種データや情報を、連携記録印刷物に印刷されている２次元コード（上記例では第１の２次元コード）と紐付して情報提供サーバ内に記録しておく。そして連携記録印刷物から第１の２次元コードが読み取られたときに、その第１の２次元コードの識別情報に対応して紐付して記録されているデータが前記情報提供サーバから読みだされて、モバイル端末装置に送信されて出力される。この例では、第２の２次元コードが希望する記録データを識別情報と紐付して記録するために、使用される。
【００２６】
このように表裏の２次元コードの機能を使い分けるよう構成することにより、連携記録印刷物に印刷して提供できない、動画や静止画、音声データ、文書データなどを大量に補足して提供することが可能となり、連携記録印刷物の有用性をさらに高めることができる。例えば、動物園、ガイドブック、各種施設などの案内地図の一方にそれぞれ異なる識別情報を記録した第１の２次元コードを印刷し、他面に第２の２次元コードを印刷すると、連携記録印刷物の案内地図としてのガイド機能を充実させつつ、イベント時に現状のライブ記録データを、その場で連携記録印刷物に紐付して整理して保管することが可能となる。
【発明の効果】
【００２７】
本発明の印刷物連携記録システムによれば、“実在する印刷物”である連携記録印刷物に直接紐付して、旅行記録、活動記録、講義記録、実験記録等の記録データを写真、動画、音声データ等の電子データとして記録することができる。これにより連携記録印刷物を整理して保存することにより、各種電子データを“実在する印刷物”に関連づけて整理して保存することが可能となる。すなわち、イベント時に現状のライブ記録データを、その場で連携記録印刷物に紐付して整理して保管することが可能となる。
【００２８】
例えば“観光地図や案内図”、“ガイドブック”、“教科書や参考書”、ノート等の“記録帳”含む各種印刷物（連携記録印刷物）の異なる位置に印刷された複数の２次元コードに直接リンク（紐付け）させて、各種記録データを電子記録することができる。
これにより、動画、写真、観察記録、講義記録、文書記録等（記録データ）を、具体的な活動（講義やイベント）で使用する教科書等の印刷物の「具体的な印刷内容」に紐付けして記録し、その印刷物の２次元コードの印刷位置に合せて記録された記録データを取り出すことができる。
【００２９】
「具体的な印刷内容」に紐付けするのは、２次元コードの印刷位置を、印刷情報とリンクさせて印刷することにより可能となる。例えば、地図を印刷した場合には、２次元コードの位置を地図のどの位置に印刷するかにより、地図の位置と記録データを紐付け可能となり、時間の変化を時間軸として印刷した場合またはカレンダーを印刷した場合には、時・日・月・年等の時間軸の位置のずれに合せて２次元コードの印刷位置を変化させることにより、特定の時間と記録データを紐付けすることができる。また、授業や、講義、参考書の場合には２次元コードの印刷位置を知識の種類と関連づけることが可能となる。このように、本願発明にかかる連携記録印刷物は印刷されている情報に応じてあらゆる事象と記録データを関連づけることが可能となる。
【００３０】
わかり易い例を挙げると、動物園、植物園、アミューズメントパーク、講演会、授業、講義、打ち合わせ等の各種イベントにおいて、イベントに関連する案内地図、教科書、講義録、打合せスケジュールや議題等を連携記録印刷物として配布することにより、参加者は各自保有するスマートフォンやノートパッド等の汎用モバイル端末装置を用いて、そのイベントにおける活動記録や講義内容等を、配布された連携記録印刷物に紐付付して、イベントの最中にその場で簡単に電子的に記録することができる。この連携記録印刷物を整理して管理することにより、モバイル端末装置または記録サーバに記録した電子データをイベントごとに整理して管理することができ、各イベント情報に関する記録データへのアクセスすることが極めて容易となる。
【図面の簡単な説明】
【００３１】
【図１】本発明に係る連携記録印刷物の一実施形態に係る動物園の案内地図の表面の印刷例を示す図。
【図２】図１に示す動物園の案内地図の裏面の印刷例を示す図。
【図３】図１に示す表面の一部を拡大して模式的に示す図。
【図４】図２に示す裏面の一部を拡大して模式的に示す図。
【図５】本発明の使用する２次元コードの一例を示す模式図。
【図６】図５に示す２次元コードの構成要素を説明するための模式図。
【図７】図５に示す２次元コードのビット値を表す模式図。
【図８】本発明の一実施形態に係る印刷物連絡記録システムの構成例を示すブロック図。
【図９】本発明に使用するモバイル端末装置のハードウェア構成の一実施形態を示すブロック図。
【図１０】連携記録印刷物に印刷された２次元コードに紐付された、補完データを取得する手順の一例を示すフローチャート
【図１１】本発明の連携記録印刷物の２次元コードに記録データを紐付して記録する手順の一例を示すフローチャート。
【図１２】本発明の連携記録印刷物の２次元コードに記録データを紐付して記録する手順の他の一例を示すフローチャート。
【図１３】２次元コードと連携記録した記録データを読み出す処理手順の一例を示すフローチャート。
【図１４】２次元コードと連携記録した記録データを、記録サーバから読み出す処理手順の一部を例示するフローチャート。
【図１５】ガイドブック、教科書、参考書その他の書籍を本発明の連携記録印刷物とする場合の２次元コードの印刷の一例を示す模式図。
【図１６】時間軸を印刷して、連携記録印刷物とする場合の一例を示す模式図。
【図１７】カレンダーを連携記録印刷物とする一例を模式的に示す図。
【発明を実施するための形態】
【００３２】
以下、図面を参照して本発明に係る印刷物連携記録システム及びこれに使用する連携記録印刷物について説明する。
図１から図４は、本発明に係る連携記録印刷物の一実施例として動物園の案内地図（園内マップ）を例示する図であり、図１は、案内地図の表面側の印刷内容を示す図であり、図２はその裏面側の印刷内容を示す図である。図３は、表面の一部を拡大して示す図であり、図４は裏面の一部を拡大して示す図である。
【００３３】
図１及び図２に示す案内地図の表面１０と裏面１５には、表裏両面ともに、同じ動物園の地図が描かれており、その地図上の各種動物の檻の位置１１、１６毎に各動物の写真または絵１３ａ（図３，４参照）が印刷されて、種々の動物の居場所を示している。案内マップの表裏面１０、１５には図３及び図４に拡大して示すように、さらに、すべての動物の写真または絵１３ａの一つ一つに対応して、動物の名前１４ａが印刷され、その他に、視認できない又は視認性の低い２次元コード１２ａ、１７ａが印刷されている。図１乃至図４の実施形態に示す視覚性の低い２次元コード１２ａ，１７ｂを図面上に表すため、図３、図４においては２次元コード１２ａ，１７ｂを破線で示している。各２次元コード１２ａ、１７ｂには、それぞれ異なる識別情報が記憶されている。
【００３４】
識別情報は、互いに全く異なる固有の識別情報としても良いが、これに限らず、同一印刷物無いでは異なる固有の識別番号を用いるが、印刷物が異なる場合には、同じ識別情報を使用するようにしても良い。例えば、上記の例では、案内地図の表面及び裏面に印刷する２次元コードは異なる識別情報を記録するが、同じ動物園の案内地図では、すべて同じ識別番号を使用することができる。但し、異なるイベントの記録データが混合して記録されないように、他の動物園や他の種類の印刷物とは互いに異なる識別情報の２次元コードを使用することが好ましい。
【００３５】
このような案内地図が入園の際に入園者に配布され、来園者は案内地図に印刷されている動物園の地図と動物の写真や絵を参考にして、動物園内を移動し、希望の動物を見て回ることができる。図１〜図４に示す例では、案内地図の表面（図１）には第１の２次元コードが印刷され、裏面（図２）には第２の２次元印刷コードが印刷される。この例では、第１の２次元コードは、案内地図では掲載しきれない保管情報を提供するためのアクセスコードとして使用しており、第２の２次元コードを希望するデータを記録するためのアクセスコードとして使用している。
【００３６】
案内地図の表面１０の第１の２次元コード１２ａ（図３参照）を、例えばスマートフォンのカメラで撮像して読取ると、読み取った識別情報に基づいて予め動物園の動物園で容易されている情報サーバにアクセスして、該当する識別情報に対応する補完情報を取得することができる。例えば、図３の示すライオンの絵１３ａの近くの２次元コード１２ａを読み取ると、スマートフォンから情報提供サーバにアクセスして、情報提供サーバからライオンに関する補完情を報取得することができる。情報提供サーバから提供される補完情報は、例えばライオンの動画や唸り声等の音声、ライオンに関する各種情報・知識などが情報提供サーバから提供され、スマートフォンの表示部に表示され、またはスピーカーから出力される。このような補完情報を取得する場合には、モバイル端末装置は通信網に接続された情報提供サーバにアクセスするため、無線通信機能が必要となる。
【００３７】
案内地図の裏面１５について説明する。裏面１５は、利用者が希望する情報（記録データ）を第２の２次元コード１７ａの識別情報に紐付して、スマートフォン等のモバイル端末内、または所定の記録サーバ内に記憶するために使用する連携記録印刷物となっている。たとえば、利用者がライオンの檻の近くにいる場合に、スマートフォン等を使用してライオンを撮影することや、ライオンの前で自分や家族の記念写真を撮影することがある。裏面１５は、このような写真等の記録データを、第２の２次元コード１７ａに紐付して記録するために使用することができる。
【００３８】
希望する記録データの記録手順の例を説明する。スマートフォン等のモバイル端末を用いて写真や動画を撮影した後または撮影する前に、そのモバイル端末にダウンロードしてインストールしている制御ソフトを起動する。操作メニューから、記録したい写真、動画または音声データ等（以下、「記録データ）と称する）、またはこれから取得する記録データを指定して、案内マップの裏面１５の第２の２次元コード１７ａをスマートフォンで読み取る。この操作により、指定した記録データまたはこれから取得する記録データが、読み取った第２の２次元コードの識別情報に紐付された状態で記憶される。
【００３９】
先に第２の２次元コードを読み取ってから、記録データを指定しても良い。記憶した記録データは、制御ソフトを起動した後に、記録データ読み出し機能を選択した上で、印刷物の第２の２次元コード１７ａを読み取ることにより、当該第２の２次元コード１７ａに紐付された記録データを表示部や音声出力部に出力することができる。また読みだした記録データを他の記録媒体に転送することも可能である。
【００４０】
裏面の第２の２次元コード１７ａに所定の識別情報が記録されている。モバイル端末内の制御ソフトは、この識別情報を読取り、指定された記録データを読み取った識別情報に紐付して記録し、または読出すための処理手順がプログラムされている。例えば、識別情報と記録データの記録場所を紐付するテーブルを作成し、このテーブルを利用者の操作により適宜更新することにより、このような紐付が可能となる。または、識別情報に紐付されたアドレスに記録データを記録するようにしても良い。記録場所は、モバイル端末内に限らず外部の記録サーバ等に記録するようにしても良い。モバイル端末として、スマートフォンに限らず、カメラ等にその機能を持たせることも可能である。また、記録データとしては写真、動画、音声データ、文書データ、図、グラフ等を記録することができる。
【００４１】
２次元コードはＱＲコード（登録商標）その他の既存に２次元コードで良いが、できるだけ視覚により視認し難い２次元コードであることが望ましい。視認し難い２次元コードは、地図や動物の写真等の印刷物の美観を害することなく、２次元コードを埋め込むことができるからである。
【００４２】
図５から図７を参照して、図１〜４の例で使用している視認し難い２次元コードの一実施形態について説明する。
図５は、本発明に好適な視認しにくい２次元コードの一実施形態を示している。図５に示す２次元コード２１では、図６（ａ）〜（ｇ）に示すような視覚的に感知しにくい（目に見えにくい）大きさの８１個の微小ドット２７を、９ｘ９のマトリクス（以下「ドットマトリクス」と称する）状に配置することにより、一つの２次元コード２１が構成されている。
【００４３】
各微小ドット２７は、図６に示すように、３Ｘ３の位置マトリクス（以下「配置マトリクス」と称する）上のいずれか１つの位置に配置されている。微小ドット２７の形状は、円形又は楕円形でも矩形でも良いが一辺又は直径が５μｍ〜２００μｍ程度の大きさとなっている。２０μｍ以下の大きさだと、黒色で印刷してもほとんど視認できない。それ以上の大きさの微小ドットの場合、黒では視認しやすくなるので黄色等の視認しにくい色で印刷するのが好ましい。
【００４４】
図５では、各微小ドット２７が３ｘ３配置マトリクス上のいずれかの位置に配置されているということを明確に示すために、位置を３ｘ３配置マトリクスに区割する線を実線で示している。しかし、このような３ｘ３配置マトリクスの区割線は現実には存在せず、実際にはこのような実線は印刷されずに微小ドット２７だけが印刷されている。しかし、区割線がまったく描かれていないと、説明する上で、微小ドット２７が３ｘ３の配置マトリクスのどの位置にあるのかわかり難いので、図５では実線で示し、図６では破線で示している。
【００４５】
図６に例示するように、この２次元コード体系では、微小ドット２７が３ｘ３の配置マトリクス中のどの位置に配置されるかにより、異なる機能を有するものとして定義している。３ｘ３のマトリクスでは９種類の状態を定義できるが、図６の例では、微小ドット２７の配置により、３種類の「基準ドット」と４種類の「情報ドット」が定義されている。３種類の「基準ドット」は、２次元コード２１の全体構成を規定している。また、４種類の「情報ドット」は４種類のデジタル値を表わし、情報ドットの組合せにより２次元コード全体としてのデジタル情報を記録する。
すなわち、「情報ドット」または「基準ドット」と称する微小ドットは、いずれも３ｘ３の配置マトリクス上に配置された一つの微小ドット２７である。しかし、３ｘ３の配置マトリクス上における微小ドット２７の位置（配置）の違いにより、各微小ドット２７に異なる機能を付与し、その機能に応じて「情報ドット２６ｂ」、または「基準ドット２６ａ、２６ｃ、２６ｄ」と異なる名称を付している。
【００４６】
図６に示す基準ドット２６ａ、２６ｃ、２６ｄは、図５に示す２次元コード２１の位置や構造を認識するための基準線２５ａ、２５ｂ及び区画領域２３を規定している。基準ドット２６ａは、図６の（ａ）に示すように、３ｘ３の配置マトリクスの中央位置に微小ドット２７が配置されている。この基準ドット２６ａが一方向に連続して存在することにより、図５に示す基準線２５ａ及び２５ｂを規定している。図６（ｆ）に示す情報ドット２６ｃは、３ｘ３の配置マトリクスの中段左側の位置に微小ドット２７が配置されており、図５に示す９個の各区画領域２３の右隅の位置（縦と横の基準線２５ａと２５ｂの交差位置）を示している。図４（ｇ）に示す基準ドット２６ｄは、３ｘ３配置マトリクスの中段右側位置に微小ドット２７が配置されており、９ｘ９ドットマトリクスの最下段の右隅の位置を示している。
【００４７】
これらの基準ドット２６ａ、２６ｃ、２６ｄにより、２次元コード２１の位置、基準線２５ａ、２５ｂの位置、及び、区画領域２３の位置を正確に認識することができ、これに基づいて、各区画領域に記録された各情報ドット２６ｂのデジタル値を正確に読み取り、２次元コード２１全体で表わされる識別情報を読み取ることができる。図５に示す２次元コード２１の例では、合計８１個の微小ドット２７からなる９ｘ９のドットマトリクスが、図６に破線で示す基準線２５ａと２５ｂの交差により、９個の「区画領域２３」に分割されている。
一つの区画領域２３の中には、４個の情報ドット２６ｂが存在している。また、図３に示す２次元コード２１の例では、縦の基準線２５ａと横の基準線２５ｂが、基準ドット２６ａの並び位置によって規定されている。基準ドット２６ｃ、２６ｄについては後述する。区画領域２３の大きさ、形状、基準線の設定は、本明細書に示す例に限定されることなく、種々の設定が可能である。
【００４８】
次に、４つの情報ドット２６ｂについて説明する。情報ドット２６ｂは、図５に例示する２次元コード２１の各区画領域２３に４個ずつ配置されている。情報ドット２６ｂは、この例では、図６（ｂ）〜図６（ｅ）に示すように、微小ドット２７が３ｘ３の配置マトリクスの四隅のいずれか一つに配置されており、４種類の情報ドット２６ｂが、それぞれ１つの情報ドット２６ｂで４種類（０，１，２，３）に１対１で対応している。これにより、４個のデジタル値（２ビット分の情報）を表わすことができる。
図５に破線で示している所定の基準線２５ａと２５ｂの位置を基準位置として、微小ドット２７の位置を認識することにより、各情報ドット２６ｂが図６（ｂ）〜（ｅ）に示す４種類のどれに相当するかを読取ることができる。
【００４９】
図３の２次元コードでは、図７に示すように、２ビットを表す情報ドット２６ｂが１つの区画２３の中に４個存在するので、１つの区画２３の情報ビットの合計で２ビットｘ４個＝８ビット分のデジタル情報を表わすことが可能となる。図３の例では、このような８ビットの区画２３が９個あるので、図３の２次元コードでは、８Ｘ９＝７２ビット分の情報（２72個の情報）を表わすことが可能となる。
【００５０】
２次元コードは、微小ドット２７の大きさを非常に小さくして、隣接する微小ドット２７の間隔が微小ドットの径の数倍の距離となるように印刷すると、視認できなくなる。
例えば、図３に示す２次元コード２１のように、隣接する各微小ドットの間隔を３ｘ３配置マトリクスと同じ大きさの隙間を空けて配置すれば、隣接する微小ドットの間隔が、一番近い場合（例えば図６（ｅ）と（ｂ）の情報ドットがこの順番で上下に配置された場合）に微小ドットの径の３個分の隙間となり、一番遠い場合（例えば図６（ｂ）と（ｅ）が上下にこの順番で配置された場合）に微小ドットの７個分の隙間となる。これだけの隙間があれば、微小ドットの径を４０μｍ以下にすると、２次元コード２１は、黒色のインキで印刷しても、ほとんど視認できないものとなる。これ以上隙間を大きくした場合には、視覚的に見えやすくなるので、黒色ではなく、印刷媒体の背景色等に応じて、微小ドット２７を印刷する色を変えることが望ましい。例えば背景が白色の場合、黄色のインク等により印刷することにより、より視認し難くなる。
【００５１】
なお、本明細書の実施形態では、複数の微小ドットの配列または配置の組合せにより、情報をデジタル情報にコード化して記録する見えにくい２次元コードの例のみを示している。しかし、本発明の２次元コードはこれに限定されるものではなく、これら以外の微小ドットの組合せによる２次元コードであっても、または視認可能なＱＲコード（登録商標）その他の２次元コードであっても良い。
【００５２】
また図５では、ほぼ正方形の形状の２次元コードの例を示しているが、横長形状の２次元コードとしても良い。例えば、図５の２次元コード２１では、９ｘ９のドットマトリクスとしたが、図３に示す２次元コード２１の高さ方向を短くして横方向を長くした「１２ｘ６」の横長形状のドットマトリクスとしても良い。また、図５及び図６では微小ドット２７の形状を矩形としているが、円形の微小ドット又はその他の形状の微小ドットとしても良い。
【００５３】
また、２次元コードを構成する微細ドット２７の数、配置、全体形状（ドットマトリクス等の形状）、微細ドット２７の配置マトリクスの大きさ等は、図５に例示する形態とは異なるものを、任意に選定・変形・設定することができる。また、２次元コード２１を検出するための基準ドットの配置、基準線の定義、種類、基準線の角度、基準線の数等も任意に決めることができる。基準線を斜めに設けることにより、基準線の数を１本とすることもできる。
【００５４】
図８及び図９を用いて、本発明の一実施形態にかかる印刷物連携記録システム３０のハードウェア構成を示す。図８に示す印刷物連携記録システム３０では、モバイル端末装置３１と、無線通信可能な通信サービスシステム６１及び通信網６５によりモバイル端末３１と情報提供サーバ６６とが接続可能に構成されている。モバイル端末装置３１を情報提供サーバ６６に接続可能とした場合には、情報提供サーバ６６から動物の情報等の各種情報を取得することが可能となり、また記録情報をサーバに記憶することも可能となる。なお、図８の構成例では通信部３７を設けて、外部の情報提供サーバ６５と接続する構成を示しているが、単に連携記録印刷物と連携して記録データをモバイル端末に記録するだけであれば、必ずしも外部の情報提供サーバ６６と接続する必要はなく、連携記録印刷物１５とモバイル端末３１だけで印刷物連携記録システム３０を構成しても良い。また、通信網に記録サーバ６７を設け、外部の記録サーバ６７に記録データを記憶するように構成することもできる。なお、図８では、外部にデータ記憶部３６を設ける構成も示しているが、外部記憶部３６は設けずに、データ処理部３８の内部の記憶部４３だけとしても良い。外部記憶部３６としてＳＤカード等を用いることにより、記録データをより簡単に別の記録媒体に移すことが可能となる。
【００５５】
図８に本発明のモバイル端末装置３１（スマートフォン等）の一実施形態に係る機能ブロック図を例示する。モバイル端末装置３１は、撮像部３２、操作部３３、音声出力部３４、表示部３５、外部のデータ記憶部３６、通信部３７、及びデータ処理部３８を備えている。データ処理部３８は、モバイル端末装置３１の各部３２〜３７を制御して各種データ取得、撮像、データ表示、２次元コードの読取、及び外部との通信等を制御する。
【００５６】
本発明の印刷物連携記録システムの専用アプリを起動すると、操作メニューの選択が可能となり、操作メニューに従って所定の動作が実行される。所定の操作メニューを選択した後撮像部（カメラ）３２を２次元コード１２，１７に向けると、連携記録制御部４１の制御により２次元コード１２、１７をとらえる画像が撮像される。撮像された画像データは入出力インタフェース３８を介して、内部のデータ記憶部４３に記憶される。データ記憶部４３に記憶された２次元コードの画像情報は、コード読取部４１により２次元コードからデジタル情報として読みだされ、データ記憶部４３に記憶されて、コード読取部４２により２次元コード１２，１７に記録されているデジタル情報が読み取られる。連携記録制御部４１は、読み取ったデジタルデータに紐付された情報の読み出し表示部３５または音声出力部３４に出力し、または記録データを読み取ったデジタルデータに紐付して記憶するよう制御する。
【００５７】
図９に、モバイル端末３１のデータ処理部３８の基本構成を示し、ＣＰＵ（中央演算処理装置）６０、ＲＯＭ（読取専用メモリ）６１、ＲＡＭ（ランダムアクセスメモリ）６２を備えている。図８の機能ブロック３２〜４３の処理は、ＲＯＭ６１及びＲＡＭ６２に記録されている基本制御ソフトウェア及び本発明の印刷物連携記録システムの専用アプリケーションプログラムである制御ソフトウェア（図示せず、以下「専用アプリ」と称する）により実施される。
【００５８】
本発明で使用する専用アプリは、所定のダウンロードサーバ６８（図８）から簡単にダウンロードすることができるようにすることが望ましい。ＣＰＵ６０は基本ソフトウェア及び制御ソフト等により、各部の制御動作や演算処理を行う。ＲＯＭ６１には基本動作を制御する基本制御ソフトウェア及び制御データが記録されている。ＲＡＭ６２には外部からダウンロードされてインストールされた各種プログラム（制御ソフトウェアや各種アプリケーションプログラムを含む）、撮像データや音声データ、その他各種データが記憶される。ＲＡＭ６２にダウンロードされた本発明の専用アプリにより、図８に機能ブロックとして示す連携記録制御部４１、及びコード読取部４２等の機能を実行する。
【００５９】
本発明に係る印刷物連携記録システムを動作させるためには、まず、モバイル端末３１に２次元コードを読取り処理するための制御ソフト（専用アプリ）をダウンロードする。利用者がダウンロード手順を簡単にわかるように、図１の案内地図の表面１０に右下隅に例示されているように、案内マップ１０のわかり易い場所に専用アプリのダウンロードの操作手順を記載しておくのが望ましい。
【００６０】
図１０〜１３に示すフローチャートを参照して、本発明の印刷物連携記録システムの動作について説明する。図１０は、専用アプリをダウンロードしてインストールした後に、案内図の表面１０に印刷された２次元コードを読み取ることにより、情報提供サーバ６６から第１の２次元コードに対応する補完情報を取得する処理手続きの一例を示している。
【００６１】
専用アプリを起動すると（Ｓ１）、データ取得処理手順がスタートする。専用アプリを起動すると操作メニューが表示される。操作メニューを選択して、または操作メニューを選択することなく、表面の希望する動物の写真に撮像部３２のカメラをかざす（Ｓ２）。カメラをかざすと撮像部３２により動物の写真の近くに印刷されている第１の２次元コード１２の画像データがモバイル端末３１内に取り込まれて、コード読取部４２により第１の２次元コード１２からデジタル情報が読み取られる（Ｓ３）。表面１０に印刷されている各第１の２次元コード１２ａには、それぞれ異なるデジタル情報（識別情報）が記憶されている。
【００６２】
次に、第１の２次元コード１２から読み取った識別情報に基づいて所定の情報提供サーバ６６にアクセスする（Ｓ４）。情報提供サーバ６６は、第１の２次元コード１２の識別情報により指摘された補完データを読み出して、アクセスのあったモバイル端末３１に送信する。モバイル端末３１は情報提供サーバ６６からの情報の取得が完了したら（Ｓ５：Ｙｅｓ）、取得した情報を記憶部に記憶し、（Ｓ６）モバイル端末３１の表示部及び音声出力部から出力する（Ｓ７）。これにより、利用者は指定した動物について、案内図には印刷されていない詳細な情報や動画等の補完情報を入手することができる。情報提供サーバ６６から取得した情報を、記憶せずにモバイル端末３１の表示部及び音声出力部からそのまま出力するよう構成しても良い。
【００６３】
次に、図１１を参照して、連携記録印刷物を利用して、イベント中の活動情報（記録データ）を記録する手順の一例について説明する。図１１は、モバイル端末に記録データを記録する構成の場合の処理手順を示している。
専用アプリを起動すると（Ｓ１１）、操作メニューが表示されるので、操作メニューから「活動情報の記録（データの記録）」を選択した後（Ｓ１２）、裏面１５の動物の絵にカメラをかざして撮像部３２により裏面１５の第２の２次元コード１７の画像情報を取得する（Ｓ１３）。取得した画像からコード読取部により第２の２次元コード１７が読み取られて、第２の２次元コードに記録されているデジタル情報（識別情報）が取得される（Ｓ１４）。
【００６４】
次に連携記録制御部は２次元コードの情報に基づいて所定の記録データの紐付処理を実行する。まず紐付する写真や動画、音声データ等の記録データを指定するよう指示メニューが表示されるので、これに基づき記録するデータを指定する（Ｓ１５）。紐付する記録データ（写真等）が既にモバイル端末３１内に存在する場合には、それを指定する。まだ記録データが存在せず、これから取得する記録データを紐付する場合には、直後に取得するデータを順次紐付して記憶することができるように指定することができる。紐付する記録データが指定されると、連携記録制御部４１は、既に存在している記録データが指定されているかどうかを確認する（Ｓ１６）。記録データが既に存在する場合には（Ｓ１６；Ｙｅｓ）には、連携記録制御部４１は指定された記録データを当該第２の２次元コード１７に紐付する。
【００６５】
記録データがまだモバイル端末装置内に存在せずこれから取得される場合には、音声データ等の記録データが入力されるのを待ち（Ｓ１７，Ｓ１８；Ｙｅｓ）、記録データの作成が完了するとそれを紐付する。紐付する際には、指定された記録データを元の記憶位置のまま２次元データをリンク付け（紐付け）しても、２次元コード毎にグループ化して別の記憶アドレスに記憶するようにしても良い。なお、図１１では、記録データがまだ作成されていない場合に、記録データの作成が完了してから紐付けして記憶する例を示しているが（Ｓ１７、Ｓ１８）、記録データをそのままデータストリームとして記録することも可能である。
【００６６】
案内地図１５に印刷されている複数の第２の２次元コード１７には、すべてそれぞれ異なるデジタル情報が記録されているため、２次元コード１２、１７はその印刷位置に応じて異なるデジタル情報（識別情報）を有している。この異なる識別情報と記録データが紐付して記録されるため、案内地図１５上の特定の位置に印刷されている第２の２次元コード１７を読取りそれに記録データを紐付して記憶すると、地図上の特定の位置と記録データとが紐付されたことになる。これにより、案内地図（連携記録印刷物）における第２の２次元コードの印刷位置に応じて、各種記録データを記録できるので、連携記録印刷物を中心に記録データを整理して記憶することが可能となる。
【００６７】
図１２は、記録データを記録サーバ６７に記憶する場合の処理手順を示すフローチャートである。専用アプリを起動すると（Ｓ２１）、操作メニュー選択画面が表示され、記録サーバ６７への書き込みが選択される（Ｓ２２）。書き込みは、モバイル端末または記録サーバ６７のみの場合には単に書き込みを選択すると、所定のデバイスに書き込みが行われ、モバイル端末または記録サーバ６７のいずれかでも書き込みができる場合には、メニュー選択できるようにする。
その後、案内地図の裏面１５にある記録データの紐付けを希望する位置の第２の２次元コード１７に、カメラがかざす（Ｓ２３）。これにより第２の２次元コード１７の画像データが取り込まれ、コード読取部３２により、その２次元コード１７により記録されているデジタル情報（識別情報）が読み取られる（Ｓ２４）。
【００６８】
次に、処理ステップＳ２３で指定した第２の２次元コード１７の識別情報に紐付けして記憶する記録データが指定される（Ｓ２５）。記録データの指定は、図１１の処理手順と同様に、既にモバイル端末３１に記憶しているデータだけではなく、これから記録するデータ（この操作の直後に取得する記録データ：静止画、動画、音声データを問わない）を紐付けして記録できるように構成することが望ましい（Ｓ２６）
紐付する記録データが既にモバイル端末３１内に存在する場合には、それを指定する。紐付する記録データが指定されると、記録データが存在する場合には（Ｓ１６；Ｙｅｓ）には、連携記録制御部４１は記録サーバ６７へアクセスして、指定された記録データを当該第２の２次元コード１７に記録されている識別情報に紐付けして、記録サーバ６７内への書き込むよう指示する（Ｓ２９）。
【００６９】
記録データがまだ取得されておらずモバイル端末装置内に存在しない場合には（Ｓ２６：Ｎｏ）、動画、静止画、音声データ等の記録データが取得されるのを待ち、記録データの取得が完了すると（Ｓ１７，Ｓ１８；Ｙｅｓ）、記録データを指定された２次元コードのデジタル情報に紐付けして、記録サーバ６７内への書き込みを指示する（Ｓ２９）。図１１の処理手順と同様に、記録データの取得完了を待たずに、入力された記録データを順次データストリームとして記録サーバ６７に書き込むように構成しても良い。
【００７０】
記録サーバ６７内への記録データの書き込みが完了すると（Ｓ３０；Ｙｅｓ）書込み処理は終了する。これにより、案内マップ（連携記録印刷物）における２次元コードの印刷位置に応じて、各種記録データを記録できるので、連携記録印刷物を中心に、記録サーバ６７内に記録データを整理して記憶することが可能となる。このように、連携記録印刷物とリンクさせて記録データを記録サーバ６７内に記録することにより、モバイル端末が廃棄されたり、壊れたりしても記録データを保存管理することが可能となる。また、大量の記録データであっても保存することが可能となる。
【００７１】
次に、図１３及び図１４を用いて、連携記録印刷物を介してモバイル端末装置３１または記録サーバ６７内に記録されている記録データの読み出し手順について説明する。モバイル端末３１の専用アプリが起動されると（Ｓ３１）、操作メニューが表示される。記録データ（写真・動画・音声データ等）を読み出したい場合には、表示された操作メニューから、記録データの読み出しを選択する（Ｓ３２）。記録データの読み出しを選択後、裏面１５の希望の位置（例えば、ライオンの位置）に印刷されている２次元データにカメラをかざすと（Ｓ３３）、ライオンの位置の２次元コードの画像が取得されてデジタル情報が読み取られる（Ｓ３４）。読み取った２次元コード１７のデジタル情報に基づき、該デジタル情報に紐付された記録データ（ライオンの印刷位置に紐付して記録された記録データ）が読みだされる（Ｓ３５）。
【００７２】
記録データがモバイル端末３１の記憶部に記録されている場合には、モバイル端末３１の記憶部から表示部または音声出力部に出力される（Ｓ３６）。記録データが記録サーバ６７に記録されているときには、図１４に示すように、記録サーバ６７にアクセスして紐付指定されている記録データを読み出し（Ｓ３7）、読みだした記録データをモバイル端末３１の表示部３５又は音声出力部３４から出力する（Ｓ３８）。記録データを出力しながら、モバイル端末３１の記憶部４３に記憶するように構成してもよい。記録サーバ６７からの読み出しが終了すると（Ｓ３９；Ｙｅｓ）、記録データの読み出処理動作は終了する。
【００７３】
以上の説明では、連携記録印刷物として動物園内の案内地図を用いて説明したが、東京都や京都などの観光地図等にも同様に使用することが可能である。また、教科書や講演の各ページや段落にこのような２次元コードを埋め込んでおくことにより、２次元コードを介して、教科書等の記載内容と授業や講演の音声データや動画などを紐付けして記録することが可能となる。その他実験記録帳、議事録などにおいて、紐付けしたい印刷内容と対応する位置に２次元コードを印刷することにより、印刷されている情報と記録したいデータを紐付けして記録することが可能となる。すなわち、本発明の印刷物連絡記録システムはあらゆる場面で印刷内容（印刷情報）と記録データを紐付けして記録することが可能となる。
【００７４】
図１５に、ガイドブック、教科書や参考書などの書籍類７０を本願発明の連携記録印刷物とする場合の２次元コードの印刷の一例を示す。例えば、ページごとに２次元コード７１ａ、７１ｂを印刷して各ページに記録データを紐付するようにし、さらに特定の各印刷内容７３ａ〜７３ｄの各位置に２次コード７２ａ〜７２を印刷して、印刷内容ごとに記録データを紐付できるようにすることもできる。
【００７５】
図１６及び図１７を用いて、時間に記録データを紐付けする例を示す。図１６は、時間軸を印刷したものを連携記録印刷物とする例である。左から右に時間が流れる時間軸７５を設け、１時間ごとに２次元コード７６ａ〜７６ｈが印刷されている。また、時間軸の下には、印刷情報７７が記録されている。この印刷情報７７の欄を空欄として、適宜書き込めるようにしておいても良い。図１６のような連携記録印刷物は、各種実験の記録データを整理保管するのに有効である。時間軸は秒単位であっても、日、週、月、年等自由に設定できる。
【００７６】
図１７はカレンダー８０を連携記録印刷物とした例を示している。カレンダーの日付欄に２次元コード８１ａ…８１ｘを埋め込むことにより、各日付に紐付して記録データを保存管理できる。日々の活動記録として利用できる他、病院での患者の記録、トレーニング記録等に活用できる。また、日付以外の欄に２次元コード８２ａ、８２ｂ等を設けて、日付と対応しない記録データを紐付するようにしても良い。
【符号の説明】
【００７７】
１０            連携記録印刷物の一例である案内地図（園内マップ）の表面
１１、１６      各動物の紹介図
１２ａ，１７ａ，２１，７１ａ,b、７２ａ-c、７３ａ-ｄ，７６a-h，８１ａ-c，８２a-b
・・・・・・・・２次元コード
１５            連携記録印刷物の一例である案内地図（園内マップ）の裏面
２３            区画領域
２５ａ，２５ｂ  基準線
２６ａ、２６ｃ，２６ｃ，２６ｄ  基準ドット
２６ｂ          情報ドット
２７            微小ドット
３０            印刷物連携記録システム
３１            モバイル端末装置
３８            データ処理部
６５            通信網
６６            情報提供サーバ
６７            記録サーバ
６８            ダウンロードサーバ
７０            書籍類
７５            時間軸
７７            印刷情報
８０            カレンダー
【図１】
2019061564.tif 000003
【図２】
2019061564.tif 000004
【図３】
2019061564.tif 000005
【図４】
2019061564.tif 000006
【図５】
2019061564.tif 000007
【図６】
2019061564.tif 000008
【図７】
2019061564.tif 000009
【図８】
2019061564.tif 000010
【図９】
2019061564.tif 000011
【図１０】
2019061564.tif 000012
【図１１】
2019061564.tif 000013
【図１２】
2019061564.tif 000014
【図１３】
2019061564.tif 000015
【図１４】
2019061564.tif 000016
【図１５】
2019061564.tif 000017
【図１６】
2019061564.tif 000018
【図１７】
2019061564.tif 000019